(57)【特許請求の範囲】
【請求項１】
食品を収容する容器と、その容器を収容し前記容器が取り出される開口部を天面に有する外箱との間に介設され、長手側の縁が第１側縁および第２側縁であり、短手側の縁が第１端縁および第２端縁である帯体からなる容器取り出し用シートであって、
前記外箱の内底面と前記容器の外底面との間に介設される底面介設部と、
その底面介設部における向き合う辺である第１辺および第２辺にそれぞれ連接され、前記外箱の内側面と前記容器の外側面との間に介設される第１側面介設部および第２側面介設部と、
それら第１側面介設部および第２側面介設部の前記第１辺および前記第２辺とそれぞれ向き合う辺である第３辺および第４辺にそれぞれ連接されると共に、前記容器の天面より天側に配設される第１端部および第２端部と、
それら第１端部および第２端部にそれぞれ貫通形成された孔部とを備え、
前記第１端部および前記第２端部は、前記第１端縁および前記第２端縁とそれぞれ向き合う前記第３辺および前記第４辺でそれぞれ前記容器の天面に向かって折り曲げられた場合に、前記容器の天面で互いに折り重ねられる重なり部が形成され、
前記孔部は、前記第３辺および前記第４辺から前記第１端縁および前記第２端縁に向かってそれぞれ前記第１端部および前記第２端部の１／２内の領域に形成され、前記第１端縁および前記第２端縁に最も近い位置が曲線上の点または頂点であり、
その曲線上の点または頂点は、前記第１側縁から前記第２側縁に向かってそれぞれ前記第１端部および前記第２端部を３等分した場合の中央部分に位置し、
前記底面介設部、前記第１側面介設部、前記第２側面介設部、前記第１端部および前記第２端部は、不織布により形成されていることを特徴とする容器取り出し用シート。
【請求項２】
前記孔部は、少なくともその一部が前記重なり部と異なる領域に形成されていることを特徴とする請求項１記載の容器取り出し用シート。
【請求項３】
前記第１端部および前記第２端部は、前記容器の天面の色と異なる色で形成されていることを特徴とする請求項２記載の容器取り出し用シート。
【発明の詳細な説明】
【技術分野】
【０００１】
本発明は、容器を取り出すための容器取り出し用シートに関し、特に、容器を収容するための作業を簡略化し、且つ、容器を取り出し易くすることができる容器取り出し用シートに関するものである。
【背景技術】
【０００２】
従来より、重箱等の容器に収容されて発送および販売されるおせち料理がある（例えば非特許文献１）。非特許文献１では、おせち料理が収容された容器が巾着袋に入れられ、巾着袋ごと外箱（包装箱）に収容されて発送されるものが開示されている。おせち料理を購入した人は、外箱から容器を取り出すときに、巾着袋の口を掴んで上方に引き上げることで外箱から容器を取り出すのである。
【先行技術文献】
【非特許文献】
【０００３】
【非特許文献１】"楽天市場  おせち  築地竹若"、[online]、[平成２４年３月２１日検索]、インターネット＜ＵＲＬ：http://item.rakuten.co.jp/grumet/03-01-1008-003lf＞
【発明の概要】
【発明が解決しようとする課題】
【０００４】
しかし、非特許文献１に開示された技術では、容器を外箱に収容するときに、容器を入れ易いように巾着袋の口を開いて、容器を巾着袋に入れ、巾着袋の口を紐で縛る作業を要するという問題点があった。
【０００５】
一方、容器を外箱から取り出すときには、外箱の蓋を開いて、巾着袋の口を掴み、上方へ引き上げる。しかし、老人や婦人、或いは子供など、特に握力が弱い人は、口を掴みにくく、手が滑ることもあるので、容器を取り出しにくいという問題点があった。
【０００６】
本発明は、上述した問題点を解決するものであり、容器を収容するための作業を簡略化し、且つ、容器を取り出し易くすることができる容器取り出し用シートを提供することを目的とする。
【課題を解決するための手段および発明の効果】
【０００７】
この目的を達成するために、請求項１記載の容器取り出し用シートは、長手側の縁が第１側縁および第２側縁であり、短手側の縁が第１端縁および第２端縁である帯体からなる。外箱に容器を収容する場合には、容器取り出し用シートで容器をくるみ、そのくるんだ状態で外箱の上に移動させ、容器を下して、外箱の天面の開口部から容器を外箱に収容する。すると、外箱の内底面と容器の外底面との間に底面介設部が介設され、その底面介設部における辺である第１辺および第２辺にそれぞれ連接される第１側面介設部および第２側面介設部が、外箱の内側面と容器の外側面との間に介設される。そして、第１側面介設部および第２側面介設部の第１辺および第２辺とそれぞれ向き合う辺である第３辺および第４辺にそれぞれ連接される第１端部および第２端部が、容器の天面より天側に配設される。さらに、第１端部および第２端部が容器の天面で互いに折り重ねられる重なり部が形成されるので、容器をくるんだ状態で容器が外箱に収容される。そのため、容器を外箱に収容するときに、容器を袋に入れたり紐で縛ったりする作業を要しない。よって、容器を外箱に収容するための作業を簡略化できるという効果がある。
【０００８】
外箱から容器を取り出す場合には、第１端部および第２端部に貫通形成された孔部にそれぞれの手の指を入れて、第１端部および第２端部を引き上げる。すると、底面介設部、第１側面介設部および第２側面介設部により容器を外箱の開口部から取り出すことができる。孔部に指を入れるので、手が滑ることもなく、容器を引き上げることができる。従って、老人や婦人、或いは子供など、握力が弱い人であっても、容器を取り出し易くできるという効果がある。
【０００９】
また、第３辺および第４辺から、その第３辺および第４辺とそれぞれ向き合う端縁である第１端縁および第２端縁に向かって第１端部および第２端部の１／２内の領域に孔部が形成されている。第１端縁および第２端縁から孔部までの距離を長くできるので、第１端部または第２端部が容器による荷重で孔部を起点として破断しないようにできる。よって、第１端部または第２端部が破断して容器を引き上げられなくなることを防止できるという効果がある。
【００１０】
さらに、第１端縁および第２端縁から孔部までの距離を長くできるので、第１端部および第２端部に貫通形成された孔部にそれぞれ手の指を入れた状態で、第１端部および第２端部をしっかり掴むことができ、容器の取り出しに際し、容器の安定性を向上できるという効果がある。
さらに、孔部に手の指を入れたときに、指から第３辺および第４辺までの距離を短くできるので、外箱から容器を取り出すときに、容器の重心から孔部までの距離を短くできる。容器の重心から孔部までの距離が長くなると容器の揺れる振幅が大きくなる可能性があり、容器の安定性が損なわれるところ、容器の重心から孔部までの距離を短くして容器が揺れる振幅を小さくできるので、容器の取り出しに際し、容器の安定性を向上できるという効果がある。
また、孔部は、第１端縁および第２端縁に最も近い位置が曲線上の点または頂点であり、その曲線上の点または頂点が、第１側縁から第２側縁に向かってそれぞれ第１端部および第２端部を３等分した場合の中央部分に位置するので、孔部に手の指を入れて容器を吊り下げると、指の位置（孔部の第１端縁および第２端縁に最も近い位置）の略鉛直下方向に容器の重心が位置する。よって、容器の取り出しに際し、容器の安定性を向上できるという効果がある。
【００１１】
請求項２記載の容器取り出し用シートによれば、請求項１の効果に加え、重なり部とは異なる領域に、少なくとも孔部の一部が形成されているので、第１端部および第２端部を容器の天面で互いに折り重ねても孔部が隠れない。よって、外箱の開口部から孔部を視認できるという効果がある。
【００１２】
請求項３記載の容器取り出し用シートによれば、請求項２の効果に加え、容器の天面の色と異なる色で第１端部および第２端部が形成されているので、外箱の開口部から孔部を視認でき、孔部を見つけ易くできるという効果がある。
【図面の簡単な説明】
【００１３】
【図１】本発明の一実施の形態における容器取り出し用シートを示す平面図である。
【図２】（ａ）は容器取り出し用シート、重箱および外箱を示す斜視図であり、（ｂ）は図２（ａ）に示す容器取り出し用シートの斜視図である。
【図３】容器取り出し用シート及び重箱が外箱へ収容された状態を示す斜視図である。
【図４】容器取り出し用シートの１の端部および孔部と、重箱の外側面との位置関係を示す側面図である。
【図５】他の実施の形態である容器取り出し用シートを示す平面図である。
【発明を実施するための形態】
【００１４】
以下、本発明の好ましい実施の形態について、添付図面を参照して説明する。まず図１を参照して、本発明の容器取り出し用シート１について説明する。図１は、容器取り出し用シート１を示す平面図である。
【００１５】
図１に示すように、容器取り出し用シート１は、平面視して略矩形状に形成された帯体２と、その帯体２の長手方向両端に貫通形成された孔部３，４とを備えて構成されている。
【００１６】
帯体２は、長手側の側縁である第１側縁２ａ，第２側縁２ｂが平行をなし、また、短手側の第１端縁２ｃ，第２端縁２ｄが同じく平行をなす長方形を形成している。容器取り出し用シート１が長方形に形成されることで、縁を裁断するための裁断箇所を少なくすることができるので、その裁断が容易になる。本実施の形態では、第１側縁２ａ及び第２側縁２ｂの長さは８４ｃｍに、また第１端縁２ｃ及び第２端縁２ｄの長さは１５ｃｍに形成されている。
【００１７】
帯体２の材質は、食品が収容されて重くなった重箱を取り出す際に、重箱の荷重により引っ張られても破断しない強度を持つ白色の不織布により形成されている。不織布は薄いもの（厚さ約０．５ｍｍ）を使用しているので、嵩張ることが無く、多くの枚数を一か所に保管することができる。従って、保管場所を多く取らずに保管することができる。
【００１８】
容器取り出し用シート１は、重箱１００を運んで外箱２００に収容するためのものであって、外箱２００に収容された重箱１００を引き上げて取り出すためのものである。重箱１００と外箱２００との関係で、容器取り出し用シート１は、第１端部２ｅ、第２端部２ｆ、第１側面介設部２ｇ、第２側面介設部２ｈ及び底面介設部２ｉに分けられる。
【００１９】
なお、図１にて二点鎖線が引かれている第１辺２ｊ、第２辺２ｋ、第３辺２ｌ及び第４辺２ｍにはミシン目や折り線はついておらず、あくまで仮想線であり、帯体２は、一連のものである。
【００２０】
孔部３，４は、本実施の形態では、それぞれ１の正円にて形成されている。また、その中心が第１側縁２ａ、第２側縁２ｂ、第１端縁２ｃ及び第２端縁２ｄからそれぞれ所定の距離を離間して構成されている。具体的には、孔部３の中心が第１側縁２ａ及び第２側縁２ｂからそれぞれ７．５ｃｍ離間し、第１端縁２ｃから１１ｃｍ離間している。また孔部４の中心が第１側縁２ａ及び第２側縁２ｂからそれぞれ７．５ｃｍ離間し、第２側縁２ｂから１１ｃｍ離間している。
【００２１】
次に図２を参照して、容器取り出し用シート１の使用方法を説明する。図２（ａ）は容器取り出し用シート１、重箱１００及び外箱２００の斜視図であり、図２（ｂ）は、同図（ａ）における容器取り出し用シート１の斜視図である。
【００２２】
重箱１００は、おせち料理等の食品を収容するために、一の重の天面が開口されて直方体の椀状に形成され、その一の重が複数積み重ねられ、そしてその上に、一番上に重ねられた一の重に対し蓋をするための天蓋が更に重ねられたものである。なお、本実施の形態では、複数の重として３の重が積み重ねられ、１の天蓋により蓋がされ、また、重箱１００の天面１０３は、黒色に着色されている。そして、重箱のサイズは、一の重の天面における一辺が５．５寸、６．５寸、又は７寸のものが用意されている（１寸は約３ｃｍ）。
【００２３】
外箱２００は、発送および陳列等の販売前の移動中に、重箱１００に対し外傷を付けないための包装材としての機能と、重箱１００内の食品が飛び出ないようにするための緩衝材としての機能とを兼ねたものである。
【００２４】
図２に示すように、重箱１００は、外底面１０１と、外側面１０２（４面）と、天面１０３とを備える６面体である。又、外箱２００は、段ボール材を折り曲げて形成した内底面２０１と、内側面２０２（４面）と、開口部２０３と、その開口部２０３を閉じる天蓋２０４とを備え、内底面２０１及び内側面３０２には、緩衝材としての第１スペーサ２０５と、第２スペーサ２０６とが嵌め込まれている。よって、外箱２００は頑丈に、また外箱２００の発送中に内容物が飛び出さないように形成されている。なお、第１スペーサ２０５や第２スペーサ２０６を外箱２００と一体に形成したり、省略したりすることは可能である。
【００２５】
まず、図２を参照して、重箱１００を外箱２００に収容する作業者（以下「作業者」と称す）が、容器取り出し用シート１を用いて重箱１００を外箱２００に収容する方法を説明する。
【００２６】
図示しない作業台上に、容器取り出し用シート１の底面介設部２ｉに重箱１００の外底面１０１を載せる。そして、作業者は、容器取り出し用シート１が損傷しないように慎重に、容器取り出し用シート１の端を軽く摘み、重箱１００の天面１０３の上で容器取り出し用シート１の一部を重ね、重箱１００の外底面１０１、外側面１０２及び天面１０３をくるんだ状態にする。この状態で、作業者は、容器取り出し用シート１の上から重箱１００の外底面１０１を指で支え、重箱１００を外箱２００の上に移動させ、外箱２００の天面１０３の開口部２０３から重箱１００を外箱２００に収容する。
【００２７】
そうすると、容器取り出し用シート１は、重箱１００の外底面１０１及び外側面１０２に沿って第１辺２ｊ及び第２辺２ｋで折り曲げられ、外箱２００の内底面２０１と重箱１００の外底面１０１との間に、帯体２の長手方向中央の底面介設部２ｉが介設される。また、第１側面介設部２ｇ及び第２側面介設部２ｈが、外箱２００の内側面２０２と重箱１００の外側面１０２との間に介設される。そして、第１側面介設部２ｇ及び第２側面介設部２ｈの第１辺２ｊ及び第２辺２ｋとそれぞれ向き合う辺である第３辺２ｌ及び第４辺２ｍにそれぞれ連接された第１端部２ｅ及び第２端部２ｆが、重箱１００の天面１０３より天側に配設される。第１端部２ｅ及び第２端部２ｆを第３辺２ｌ及び第４辺２ｍで天面１０３に向かって軽く折り曲げる。最後に、天蓋２０４を閉じて外箱２００を発送する。
【００２８】
そのように作業をするので、容器取り出し用シート１に皺が寄ることが無く、綺麗な状態で重箱１００と共に収容できる。以上の作業により、作業者の収容作業を、底面介設部２ｉに重箱１００の外底面１０１を載せて容器取り出し用シート１でくるみ、外箱２００に重箱１００を収容するという簡易な作業にできる。重箱１００を袋にいれたり紐で縛ったりする作業を要しないので、作業者は重箱１００を外箱２００に収容するための作業を簡略化できる。
【００２９】
次に、図３を参照して、外箱２００に収容された重箱１００に対し、重箱１００を取り出そうとする人（以下「取り出し者」と称す）が、重箱１００を外箱２００から取り出す方法を説明する。図３は容器取り出しシート１の斜視図である。なお、図３では、理解を容易にするために、同図の手前側のみ、容器取り出し用シート１、重箱１００及び第１スペーサ２０５が陰に隠れて視認できない部分を破線で示している。
【００３０】
図３（ａ）に示すように、天蓋２０４が開けられたときは、第１端部２ｅ及び第２端部２ｆは、第３辺２ｌ及び第４辺２ｍで天面１０３に向かって折り曲げられた状態になっている。この状態において、第１端部２ｅ及び第２端部２ｆが互いに折り重ねられて形成された重なり部５に対し、孔部３，４は、その一部が重なり部５とは異なる領域に形成されている。これにより、第１端部２ｅ及び第２端部２ｆを重箱１００の天面１０３で互いに折り重ねても孔部３，４を隠さなくできる。よって、取り出し者は外箱２００の開口部２０３から孔部３，４をすぐに視認できる。なお、重なり部５がずれることで重なり部５に孔部３，４の一部または全部が隠れることもある。しかし、その隠れた場合であっても、帯体２は薄い不織布であるので、容器取り出し用シート１の下が透けて見える。よって、取り出し者は重なり部５の上から隠れた孔部３，４を透視できる。
【００３１】
また、第１端部２ｅ及び第２端部２ｆは、重箱１００の天面１０３の色と異なる色で形成されていることが好ましい。本実施の形態では、容器取り出し用シート１の両面全体が白色に形成され、重箱１００の天面１０３は黒色に着色されている。このように第１端部２ｅ及び第２端部２ｆを形成することで、孔部３，４の周辺を形成する色が重箱１００の天面１０３の色と異なる色で視認できる。これにより取り出し者は、外箱２００の開口部２０３から重箱１００の天面１０３を視認した場合に、孔部３，４をすぐに視認できるので、孔部３，４を見つけ易くできる。
【００３２】
そして、取り出し者が孔部３，４に、左右の手の指を入れて、第１端部２ｅ及び第２端部２ｆを掴んで引き上げる。これに伴い、底面介設部２ｉ、第１側面介設部２ｇ及び第２側面介設部２ｈにより重箱１００の外底面１０１及び外側面１０２が略コの字状に緊張支持されて重箱１００が引き上げられる。孔部３，４に指を入れているので、手が滑ることもなく、重箱１００を引き上げることができる。従って、老人や婦人、或いは子供など、握力が弱い人であっても、重箱１００を取り出し易くすることができる。
【００３３】
ここで、重箱１００の外側面１０２に対して容器取り出し用シート１が水平方向にずれて介設される可能性があるが、これに対し、第１端縁２ｃ及び第２側縁２ｂの長さは、取り出し者が重箱１００を引き上げ可能な長さに裁断及び形成されている。この長さに第１端縁２ｃ及び第２側縁２ｂが形成されることで、第１端部２ｅ及び第２端部２ｆが掴まれて引き上げられたときに、底面介設部２ｉと重箱１００の外底面１０１との接触面積に十分な余裕ができる。よって、容器取り出し用シート１で重箱１００の重心を支持できる。重箱１００の取り出しに際し重箱１００の安定性を向上できる。
【００３４】
このように重箱１００がバランス良く支持されるためには、具体的には、第１端縁２ｃ及び第２側縁２ｂの長さは、外側面１０２の１の長辺に対して５５％以上となる長さに形成されることが好ましい。その一方、第１端縁２ｃ及び第２端縁２ｄの長さが長過ぎると容器取り出し用シート１の材料に係るコストが上昇してしまう。よって、そのコストを抑えつつ重箱１００が安定して支持されるために、第１端縁２ｃ及び第２端縁２ｄの長さは外側面１０２の１の長辺に対して５５％以上かつ７５％以下となる長さに形成されることが好ましい。
【００３５】
次に、図４を参照して、容器取り出し用シートの第１端部２ｅ及び孔部３と、重箱１００の外側面１０２との位置関係について説明する。図４は容器取り出し用シート１の第１端部２ｅ及び重箱１００の外側面１０２を示す側面図である。
【００３６】
図４に示すように、第１端部２ｅは、第３辺２ｌと向き合う端縁である第１端縁２ｃを備えている。そして、第１端部２ｅ及び第２端部２ｆが掴まれた状態では、外側面１０２と、第１側面介設部２ｇ及び第１端部２ｅとが側面視して左右対称状になるように、また第１端部２ｅの第１端縁２ｃと、図示しない第２端部２ｆの第２端縁２ｄとが側面視して一致するようにバランスが取られた状態となる。
【００３７】
この図４において、第１端部２ｅを上下に二等分する仮想線ｖｌから第３辺２ｌまでの距離Ｌ１は、第１端縁２ｃから第３辺２ｌまでの距離Ｌ２の１／２に形成されており、仮想線ｖｌから第３辺２ｌまでの領域に孔部３が形成されている。つまり、孔部３は、第３辺２ｌから第１端縁２ｃに向かって１／２内の領域に形成されている。
【００３８】
よって、取り出し者が孔部３に手の指を入れたときに、指から第３辺２ｌまでの距離を短くできる。従って、外箱２００から重箱１００を取り出すときに、重箱１００の重心から孔部３までの距離を短くできる。重箱１００の重心から孔部３までの距離が長くなると重箱１００の揺れる振幅が大きくなる可能性があり、重箱１００の安定性が損なわれるところ、重箱１００の重心から孔部３までの距離を短くして重箱１００が揺れる振幅を小さくできるので、重箱１００の取り出しに際し、重箱１００の安定性を向上できる。
【００３９】
一方、第１端縁２ｃから孔部３までの距離を長くできるので、第１端部２ｅまたは第２端部２ｆが重箱１００による荷重で孔部３を起点として破断しないようにできる。よって第１端部２ｅまたは第２端部２ｆが破断して重箱１００を引き上げられなくなることを防止できる。しかも、孔部３，４は、それぞれ１の正円にて形成されているので、応力が集中しにくく、破断の起点となりにくい。また、第１端縁２ｃから孔部３までの距離を長くできるので、第１端部２ｅに貫通形成された孔部３に左右の手の指を入れた状態で、第１端部２ｅをしっかり掴むことができるので、容器の取り出しに際し、容器の安定性を向上できる。更に、作業者が第１端部２ｅ上の孔部３から離れた箇所、例えば第１端縁２ｃの近くを摘んで皺が形成されたとしても、その皺による孔部３の縁の変形を抑制できる。よって、孔部３の縁に皺が寄ることを抑制できる。
【００４０】
より好ましくは、孔部３が、第３辺２ｌから第１端縁２ｃに向かって２／５内の領域、更に好ましくは、２／５〜１／１０内の領域に形成されることで、指と第３辺２ｌとの間の領域における揺らぎを小さくでき、且つ、掌で掴み易い領域を形成できる。それと共に重箱１００の外側面１０２又は天面１０３が邪魔にならずに、第３辺２ｌから指までの領域に対して取り出し者が指を添えることができるので、取り出し者は第１端部２ｅを掴み易い。これにより、取り出し者が重箱１００を引き上げる最中に、重箱１００の天面１０３に指を伸ばして支持しながら重箱１００を引き上げる必要が無くなり、指の負担を軽くして容易に重箱１００を引き上げることができる。
【００４１】
また図４において、第１端縁２ｃの幅をＬ４とする。第１側縁２ａから、その第１側縁２ａに平行な仮想線ｖ１までの幅、および、第２側縁２ｂから、その第２側縁２ｂに平行な仮想線ｖ２までの幅をＬ３とする。このとき、孔部３の第１端縁２ｃに最も近い位置である位置Ｐについて、長さＬ４に対して幅Ｌ３が１／３以下、より好ましくは、１／３〜９／２０以下となる領域であって、仮想線ｖ１、仮想線ｖ２、第１端縁２ｃ及び第３辺２ｌで囲まれる領域内に位置Ｐが位置することが好ましい。
【００４２】
これにより、位置Ｐの近くに第１端部２ｅの側面視して左右にバランス良く十分な掴み代が形成される。その掴み代がしっかり掴まれることで、重箱１００の安定性を向上できる。また、位置Ｐが第１端部２ｅを左右に二等分する中心線の近くに位置するので、孔部３に手の指が入れられて重箱１００が吊り下げられると、指の位置（位置Ｐ）の略鉛直下方向に重箱１００の重心が位置する。よって、重箱１００の安定性を向上できる。以上により、重箱１００の取り出しに際し、重箱１００の安定性を向上できる。
【００４３】
更に、長さＬ４に対して幅Ｌ３が１／３以下、より好ましくは、１／３〜９／２０以下となる領域であって、仮想線ｖ１、仮想線ｖ２、第１端縁２ｃ及び第３辺２ｌで囲まれる領域内に孔部３の全体が入っていることが好ましい。これにより、第１端部２ｅの側面視して左右にバランス良く十分な掴み代が形成される。これにより、その掴み代がしっかり掴まれることで、重箱１００の安定性を向上できる。従って、重箱１００の取り出しに際し、重箱１００の安定性を向上できる。
【００４４】
なお図４では、第１端部２ｅと孔部３との位置関係とその位置関係による効果について説明したが、同様のことが第２端部２ｆと孔部４との位置関係についても言える。
【００４５】
次に図５を参照して、孔部の形状に係る他の実施の形態について説明する。図５（ａ）〜（ｇ）は、容器取り出し用シート１の孔部３，４に対し、その形状を変えた他の実施の形態である容器取り出し用シートを示す平面図である。なお、上記実施の形態と同一の構成については同一の符号を付してその説明を省略する。
【００４６】
図１では、孔部３，４の形状として、それぞれ１の正円にて形成されたものが図示されている。しかし、孔部の数は限定されるものではなく、例えば図５（ａ）に示すように、容器取り出し用シート１０に孔部１１，１２が複数形成されていても良い。これにより、例えば、複数の指を使用して、各々の孔部１１，１２をそれぞれ別の指で引掛けることができる。複数箇所で容器取り出し用シート１０を支持するので、重箱１００が引き上げられる際に、第１端部２ｅ及び第２端部２ｆの揺れる振幅を小さくできる。よって、重箱１００が揺れる振幅を小さくできる。従って、重箱１００の取り出しに際し重箱１００の安定性を向上できる。
【００４７】
また、孔部の形状についても、特に正円には限定されず、例えば図５（ｂ）〜（ｇ）に示すように、孔部の形状は何でも構わない。
【００４８】
図５（ｂ）には、楕円をなす孔部２１，２２が形成された容器取り出し用シート２０が示されている。孔部２１，２２の形状である楕円形は、長手側の側縁である第１側縁２ａ及び第２側縁２ｂに対して平行に短軸が位置し、短手側の端縁である第１端縁２ｃ及び第２端縁２ｄに対して平行に長軸が位置している。そして、その円弧が曲線状になっているので、孔部２１，２２を指で引掛けようとする場合、同じく曲線をなす指の表面が円弧に接し易い。よって、取り出し者が孔部２１，２２に指を引掛け易い。
【００４９】
また、孔部２１，２２は、その長軸を境界としてその半円弧がそれぞれ第１端縁２ｃ及び第２端縁２ｄに向かって形成されている。よって、その半円弧は、第１端部２ｅ及び第２端部２ｆが引き上げられたときにそれぞれ天側に位置する。そして、その半円弧は複数の指で引掛けるに十分な長さを持つ。従って、複数の指が孔部２１，２２に引掛けられることにより、引き上げに伴う重箱１００が揺れる振幅を小さくできる。これにより、重箱１００の取り出しに際し重箱１００の安定性を向上できる。
【００５０】
図５（ｃ）には、孔部３１，３２が形成された容器取り出し用シート３０が示されている。孔部３１，３２の形状である楕円形は、第１側縁２ａ及び第２側縁２ｂに対して平行に長軸が位置し、第１端縁２ｃ及び第２端縁２ｄに対して平行に短軸が位置する。そしてその短軸を境界としてその半円弧がそれぞれ第１端縁２ｃ及び第２端縁２ｄに向かって形成されている。よって、孔部３１，３２により、容器取り出し用シート２０の孔部２１，２２の効果と同様の効果を奏する。
【００５１】
図５（ｄ）には、角丸長方形をなす孔部４１，４２が形成された容器取り出し用シート４０が示されている。孔部４１，４２の形状である角丸長方形は、詳細には、第１側縁２ａ及び第２側縁２ｂに対して平行に長辺が配され、第１端縁２ｃ及び第２端縁２ｄに対して平行に短辺が配されている。そして、角丸長方形の第１端縁２ｃ及び第２端縁２ｄに向かう短辺は、第１端部２ｅ及び第２端部２ｆが引き上げられたときにそれぞれ天側に位置する。この短辺は複数の指で引掛けるに十分な長さを持つ。よって、複数の指が孔部４１，４２に引掛けられることにより、引き上げに伴う重箱１００が揺れる振幅を小さくできる。これにより、重箱１００の取り出しに際し重箱１００の安定性を向上できる。
【００５２】
図５（ｅ）には、第１端縁２ｃ及び第２端縁２ｄに平行に入れられた切れ目である孔部５１，５２が形成された容器取り出し用シート５０が示されている。この容器取り出し用シート５０では、孔部５１，５２の切れ目に手の指が入れられて、第１端部２ｅ及び第２端部２ｆが引き上げられることで重箱１００が取り出される。このように帯体２に切れ目を入れるだけで容器取り出し用シート５０を形成できるので、容器取り出し用シート５０を簡易に形成できる。
【００５３】
図５（ｆ）には、正三角形をなす孔部６１，６２が形成された容器取り出し用シート６０が示されている。孔部６１，６２の形状である正三角形は、１の頂点がそれぞれ第１側縁２ａ及び第２側縁２ｂに近い側に位置し、また、２の頂点がそれぞれ第１側縁２ａ及び第２側縁２ｂに近い側に位置している。そして、第１側縁２ａ及び第２側縁２ｂに近い側に位置する１の頂点は、第１端部２ｅ及び第２端部２ｆが引き上げられたときに、その頂点が第１端縁２ｃ及び第２端縁２ｄに近く、また、容器取り出し用シート６０の短手方向の中心に近い位置にくる。孔部６１，６２に手の指を入れて引き上げたときに、指は第１端縁２ｃ及び第２端縁２ｄに近い頂点に位置する。指の位置の略鉛直下方向に重箱１００の重心が位置するので、重箱１００の取り出しに際し重箱１００の安定性を向上できる。
【００５４】
図５（ｇ）には、各頂点が第１側縁２ａ、第２側縁２ｂ、第１端縁２ｃ及び第２端縁２ｄに向かう正方形をなす孔部７１，７２が形成された容器取り出し用シート７０が示されている。同図から分かるように、孔部７１，７２の１の頂点がそれぞれ第１端縁２ｃ及び第２端縁２ｄに近い側に位置するので、第１端部２ｅ及び第２端部２ｆが引き上げられたときに、その頂点がそれぞれ第１端縁２ｃ及び第２端縁２ｄに近く、また、容器取り出し用シート７０の短手方向の中心に近い位置にくる。孔部７１，７２に手の指を入れて引き上げたときに、指は第１端縁２ｃ及び第２端縁２ｄに近い頂点に位置する。指の位置の略鉛直下方向に重箱１００の重心が位置するので、重箱１００の取り出しに際し重箱１００の安定性を向上できる。
【００５５】
以上、実施の形態に基づき本発明を説明したが、本発明は上述した実施の形態に何ら限定されるものではなく、本発明の趣旨を逸脱しない範囲内で種々の改良変更が可能であることは容易に推察できるものである。
【００５６】
例えば、帯体２の寸法や孔部３，４の位置は、重箱１００や外箱２００の大きさにより適宜設定できる。本実施の形態では、容器取り出し用シート１は重箱１００を取り出すときに使用されることが記載されているが、特に重箱１００に限定されず、食品が収容された容器であれば良い。
【００５７】
また、本実施の形態では、重箱１００の形状は、直方体（６面体）に形成されているが容器取り出し用シート１に重箱１００を載せて外箱２００から取り出すことが可能であれば、これに限定されるものではない。例えば、重箱１００の形状が、三角柱、六角柱等の多角柱や、円柱状に形成されていても良い。また、重箱１００の形状が、天面１０３及び外底面１０１が三角形、および外側面１０２（３面）が長方形である五面体状に形成されていても良い。この重箱１００に対しては、例えば１の外側面１０２を第１側面介設部２ｇで支持し、その１の外側面１０２とは異なる２の外側面１０２を第２側面介設部２ｈで支持して第１側縁２ａ及び第２側縁２ｂが引き上げられることで重箱１００を取り出すことができる。
【００５８】
また、本実施の形態では、容器取り出し用シート１は長方形に形成されているが、特に長方形には限定されず、上記略コの字状に緊張支持して重箱１００を引き上げることが可能であれば良い。例えば、第１端部２ｅ及び第２端部２ｆが、その第３辺２ｌ及び第４辺２ｍを底辺とした二等辺三角形や正三角形、半円、角丸長方形等であっても良い。
【００５９】
また、本実施の形態では、容器取り出し用シート１の材質は薄い不織布により形成されているが、特に薄い不織布に限定されず、変形して容器と外箱との間に介設できる薄い帯体であり、且つ、食品が収容されて重くなった容器を取り出す際に、その容器の荷重により引張られて破断しない強度を持つ帯体であれば良い。例えば絹、綿、麻等の植物繊維による繊維体、ポリエステル、ナイロン、ビニロン等の合成繊維による繊維体、又はポリ塩化ビニル等の合成樹脂により形成された帯体でも良い。
【００６０】
また、容器取り出し用シート１は、柔軟な帯体であるので、重箱１００を載せて引き上げるだけで、第１辺２ｊ、第２辺２ｋ、第３辺２ｌ及び第４辺２ｍが重箱１００による荷重により折れ曲がって第１側面介設部２ｇ、第２側面介設部２ｈ及び底面介設部２ｉが形成される。よって、予め重箱１００の大きさを測っておき、その測った結果に応じて第１辺２ｊ、第２辺２ｋ、第３辺２ｌ及び第４辺２ｍで折り曲げておく必要がなくなる。また様々なサイズの重箱１００に対し、単一の容器取り出し用シート１を適用できる。
【００６１】
また、本実施の形態では、容器取り出し用シート１の第１端部２ｅ及び第２端部２ｆは白色に形成されているが、特に白色に限定されず、重箱１００の天面１０３と異なる色であれば良い。例えば、重箱１００の天面１０３の色に対し、色相環の中心に対し点対称の位置を示す補色であっても良い。
【００６２】
また、図５（ｅ）において、孔部５１，５２の切れ目は第１端縁２ｃ及び第２端縁２ｄに平行に入れられているが、特に第１端縁２ｃ及び第２端縁２ｄに平行でなくても良い。例えば、その孔部５１，５２の切れ目が第１側縁２ａ及び第２側縁２ｂに平行に入れられていてもよい。また、その切れ目が所定の角度を付けて傾斜して入れられていてもよい。また、図５（ｅ）において、孔部５１，５２の切れ目が線分として入れられていたが、この切れ目をミシン目に代えて、容器取り出し用シート５０を使用するときに、そのミシン目を破って、その破ってできた切れ目（孔部５１,５２）に手の指を入れてもよい。
【００６３】
また、容器取り出し用シート１は、一例として重箱１００内のおせち料理を取り出す用途に発明されたものであり、おせち料理は、新年に食されることが多い。これに鑑み、孔部３，４の形状は、新年から想像される”目出度さ”を示唆する形状でもよい。例えば、その形状としては、亀、鶴、富士山、鏡餅、門松等を模した形状や、「寿」、「元旦」等の文字を模した形状が例示される。
＜その他＞
＜手段＞
技術的思想１の容器取り出し用シートは、食品を収容する容器と、その容器を収容し前記容器が取り出される開口部を天面に有する外箱との間に介設される容器取り出し用シートであって、前記外箱の内底面と前記容器の外底面との間に介設される底面介設部と、その底面介設部における向き合う辺である第１辺および第２辺にそれぞれ連接され、前記外箱の内側面と前記容器の外側面との間に介設される第１側面介設部および第２側面介設部と、それら第１側面介設部および第２側面介設部の前記第１辺および前記第２辺とそれぞれ向き合う辺である第３辺および第４辺にそれぞれ連接されると共に、前記容器の天面より天側に配設される第１端部および第２端部と、それら第１端部および第２端部にそれぞれ貫通形成された孔部とを備えていることを特徴とする。
技術的思想２の容器取り出し用シートは、技術的思想１記載の容器取り出し用シートにおいて、前記第１端部および前記第２端部は、前記第３辺および前記第４辺とそれぞれ向き合う端縁である第１端縁および第２端縁を有し、前記孔部は、前記第３辺および前記第４辺から前記第１端縁および前記第２端縁に向かって１／２内の領域に形成されていることを特徴とする。
技術的思想３の容器取り出し用シートは、技術的思想１又は２に記載の容器取り出し用シートにおいて、前記第１端部および前記第２端部は、前記第３辺および前記第４辺でそれぞれ前記容器の天面に向かって折り曲げられた場合に、前記容器の天面で互いに折り重ねられる重なり部を有し、前記孔部は、少なくともその一部が前記重なり部と異なる領域に形成されていることを特徴とする。
技術的思想４の容器取り出し用シートは、技術的思想３記載の容器取り出し用シートにおいて、前記第１端部および前記第２端部は、前記容器の天面の色と異なる色で形成されていることを特徴とする。
＜効果＞
技術的思想１記載の容器取り出し用シートによれば、外箱に容器を収容する場合には、容器取り出し用シートで容器をくるみ、そのくるんだ状態で外箱の上に移動させ、容器を下して、外箱の天面の開口部から容器を外箱に収容する。すると、外箱の内底面と容器の外底面との間に底面介設部が介設され、その底面介設部における辺である第１辺および第２辺にそれぞれ連接される第１側面介設部および第２側面介設部が、外箱の内側面と容器の外側面との間に介設される。そして、第１側面介設部および第２側面介設部の第１辺および第２辺とそれぞれ向き合う辺である第３辺および第４辺にそれぞれ連接される第１端部および第２端部が、容器の天面より天側に配設される。この状態で容器が外箱に収容されるので、容器を外箱に収容するときに、容器を袋に入れたり紐で縛ったりする作業を要しない。よって、容器を外箱に収容するための作業を簡略化できるという効果がある。
外箱から容器を取り出す場合には、第１端部および第２端部に貫通形成された孔部にそれぞれの手の指を入れて、第１端部および第２端部を引き上げる。すると、底面介設部、第１側面介設部および第２側面介設部により容器を外箱の開口部から取り出すことができる。孔部に指を入れるので、手が滑ることもなく、容器を引き上げることができる。従って、容器を取り出し易くできるという効果がある。
技術的思想２記載の容器取り出し用シートによれば、技術的思想１の効果に加え、第３辺および第４辺から、その第３辺および第４辺とそれぞれ向き合う端縁である第１端縁および第２端縁に向かって１／２内の領域に孔部が形成されている。第１端縁および第２端縁から孔部までの距離を長くできるので、第１端部または第２端部が容器による荷重で孔部を起点として破断しないようにできる。よって、第１端部または第２端部が破断して容器を引き上げられなくなることを防止できるという効果がある。
また、第１端縁および第２端縁から孔部までの距離を長くできるので、第１端部および第２端部に貫通形成された孔部にそれぞれ手の指を入れた状態で、第１端部および第２端部をしっかり掴むことができ、容器の取り出しに際し、容器の安定性を向上できるという効果がある。
技術的思想３記載の容器取り出し用シートによれば、技術的思想１又は２の効果に加え、第１端部および第２端部が容器の天面で互いに折り重ねられて形成される重なり部とは異なる領域に、少なくとも孔部の一部が形成されているので、第１端部および第２端部を容器の天面で互いに折り重ねても孔部が隠れない。よって、外箱の開口部から孔部を視認できるという効果がある。
技術的思想４記載の容器取り出し用シートによれば、技術的思想３の効果に加え、容器の天面の色と異なる色で第１端部および第２端部が形成されているので、外箱の開口部から孔部を視認でき、孔部を見つけ易くできるという効果がある。
【符号の説明】
【００６４】
１，１０，２０，３０，４０，５０，６０，７０  容器取り出し用シート
２ａ 第１側縁
２ｂ 第２側縁
２ｃ    第１端縁
２ｄ    第２端縁
２ｅ    第１端部
２ｆ    第２端部
２ｇ    第１側面介設部
２ｈ    第２側面介設部
２ｉ    底面介設部
２ｊ    第１辺
２ｋ    第２辺
２ｌ    第３辺
２ｍ    第４辺
３，４  孔部
５      重なり部
１００  重箱（容器）
１０１  外底面
１０２  外側面
１０３  天面
２００  外箱
２０１  内底面
２０２  内側面
２０３  開口部
Ｐ      位置（曲線上の点）
【図１】
0005697824.tif 000002
【図２】
0005697824.tif 000003
【図３】
0005697824.tif 000004
【図４】
0005697824.tif 000005
【図５】
0005697824.tif 000006